(57)【要約】【課題】簡易に組み立てできる香り放出機能付き箱体とそのブランク板を提供する。【解決手段】本発明の香り放出機能付き箱体１０は、香料１入り香り袋２を筒状スポンジ３の空間部３ｈに納め、該筒状スポンジ３をさらに箱体中に格納している状態において、該箱体の開口１５下のリーフレット１６を介して筒状スポンジ３を押圧することにより、香りが放出するようにしたことを特徴とする。本発明のブランク板は、外形が八角形であって、中央に開口１５を有する上面板１１と該上面板１１と同形の外形を有する底面板１３との間を８枚の側面板１２で囲って塞ぐようにしたことを特徴とする。【選択図】図２
2018052564.tif 000002
【特許請求の範囲】
【請求項１】
香料入り香り袋を筒状スポンジの空間部に納め、該筒状スポンジをさらに箱体中に格納している状態において、該箱体の開口下のリーフレットを介して筒状スポンジを押圧することにより、香りが放出するようにしたことを特徴とする香り放出機能付き箱体。
【請求項２】
箱体が紙製であって、多角形乃至円形の上面板と底面板とを有し、手中に納まる大きさであることを特徴とする請求項１記載の香り放出機能付き箱体。
【請求項３】
箱体の側面に香り放出孔を有することを特徴とする請求項１または請求項２記載の香り放出機能付き箱体。
【請求項４】
香料入り香り袋をスポンジ体の空間部に納め、該スポンジ体をさらに箱体中に格納している状態において、箱体を押してスポンジ体を押圧することにより、香りが放出するようにしたことを特徴とする香り放出機能付き箱体。
【請求項５】
請求項１記載の香り放出機能付き箱体を形成するためのブランク板であって、外形が八角形であって、中央に開口を有する上面板と該上面板と同形の外形を有する底面板との間を８枚の側面板で囲って塞ぐようにしたことを特徴とするブランク板。
【請求項６】
側面板に香り放出孔を有することを特徴とする請求項５記載のブランク板。
【発明の詳細な説明】
【技術分野】
【０００１】
本発明は、香り放出機能付き箱体とそのブランク板に関する。詳しくは、箱体の中にスポンジ体と香料入り香り袋等を仕込み、店頭で消費者が箱体の中央部分の開口からスポンジ体を押圧することにより、試供用の香水を体感できることを特徴とする香り放出機能付き箱体、およびそのブランク板に関するものである。
【背景技術】
【０００２】
従来から、香水や香料の販売においては、各種の試供品が提供されている。例えば、ガラス製の小瓶に入れた香水や、香草の乾燥粉末や香料を入れた小袋の形態などがある。しかし、ガラス製の小瓶では、キャップの取り外しが不便であるし、意図しない量の液滴が滴下してしまう場合がある。また、小袋の形態のみでは、香りが散逸し易く、品種の表示もし難く識別が困難になる場合もある。
そこで、香りを逃がさず、手軽に扱える試供品の形態を研究して、本発明の完成に至ったものである。
【０００３】
（従来技術）本願に直接関連する先行特許文献は検出されないが、特許文献１には、香料入り粘着剤層を利用した香りの出るシールが記載されている。また、特許文献２には、香料を提示スティックに保持させて閉じ込め容器に保管および放出させるデバイスが記載されている。さらに、特許文献３には、吐出口を有する包装袋に、香り物質を収納し、吐出口を介して香りを放出させる香り放出具が記載されている。しかし、この包装袋は、積層フィルムを使用するもので、箱体からなる本願のものとは相違している。
【先行技術文献】
【特許文献】
【０００４】
【特許文献１】実用新案登録第３０６９３８９号公報
【特許文献２】特許第５７３４６５９号公報
【特許文献３】特開２０１５−  ３７９５６号公報
【発明の概要】
【発明が解決しようとする課題】
【０００５】
本願は、店頭等に置く香り見本であり、顧客が容易に香りを確かめることができるようにした香り放出機能付き箱体に関する。従来、このような香り見本は、ガラスやプラスチックを成型した容器に入れた形態が通常であるが、成型には金型が必要であり、コスト高になるのが通常である。そこで、本願は、香りを永く保つことができると共に、扱い易く、かつ簡易に製作できる形態を提供することを課題とする。
【課題を解決するための手段】
【０００６】
上記課題を解決するために、本発明の要旨の第１は、香料入り香り袋を筒状スポンジの空間部に納め、該筒状スポンジをさらに箱体中に格納している状態において、該箱体の開口下のリーフレットを介して筒状スポンジを押圧することにより、香りが放出するようにしたことを特徴とする香り放出機能付き箱体、にある。
上記香り放出機能付き箱体において、箱体が紙製であって、多角形乃至円形の上面板と底面板とを有し、手中に納まる大きさであるようにすることができる。また、箱体の側面に香り放出孔を有するようにすることもできる。
【０００７】
本発明の要旨の第２は、香料入り香り袋をスポンジ体の空間部に納め、該スポンジ体をさらに箱体中に格納している状態において、箱体を押してスポンジ体を押圧することにより、香りが放出するようにしたことを特徴とする香り放出機能付き箱体、にある。
【０００８】
本発明の要旨の第３は、請求項１記載の香り放出機能付き箱体を形成するためのブランク板であって、外形が八角形であって、中央に開口を有する上面板と該上面板と同形の外形を有する底面板との間を８枚の側面板で塞ぐようにしたことを特徴とするブランク板、にある。
上記ブランク板において、側面板に香り放出孔を有するようにすることもできる。
【発明の効果】
【０００９】
本発明の香り放出機能付き箱体によれば、箱体の中に香り袋とスポンジ体が格納されているため、店頭で利用者が箱体を押圧することにより、箱体側面から香りを含んだ空気が押し出されて香水等のふわっと広がる香りを体験できる。
請求項１の発明によれば、箱体を直接押圧しないで、リーフレットを介して筒状スポンジを押圧するので、押す部分と外箱が分かれており、箱自体を潰さず永く美麗な状態を保つことができる。
請求項２の発明によれば、箱体が紙製であって手中に納まる大きさなので、簡易に製造でき、取り扱いが容易である。
請求項３の発明によれば、香り放出孔が箱体の側面に配置されているので、利用者に対する訴求力を高くすることができる。
本発明のブランク板によれば、多角形状の香り放出機能付き箱体を組み立てるに好適なブランク板が得られる。
【図面の簡単な説明】
【００１０】
【図１】香り放出機能付き箱体を示す斜視図である。
【図２】香り放出機能付き箱体の断面図である。
【図３】香り放出機能付き箱体用のブランク板を示す図である。
【図４】箱体に入る香り袋等の構成を示す図である。
【図５】箱体の組み立て工程を示す図である。
【図６】香り放出機能付き箱体の展示方法を示す図である。
【図７】透明ケースのブランク板を示す図である。
【発明を実施するための形態】
【００１１】
以下、本発明の実施形態について、図面を参照して詳細に説明する。
図１は、香り放出機能付き箱体を示す斜視図である。
図１の場合、香り放出機能付き箱体１０は、平面視した場合、八角形状のやや扁平な容器であり、全体は手中に納まる大きさにされている。箱体１０の上面板１１は中央に円形等の開口１５を有しており、この開口１５部分下のリーフレット１６を指先で押圧すると香りが放出するようにされている。リーフレット１６は板紙を重ねた材料等が使用され、押し板の機能をするものである。
ただし、開口１５やリーフレット１６は、必須の構成ではなく、開口１５やリーフレット１６を省いて、箱体１０の上面板、底面板、あるいは双方を上下から直接押圧するようにすることもできる。
【００１２】
箱体１０の側面板１２には、香り放出孔１４が設けられている。図４の場合、香り放出孔１４は８面ある側面板の１側面を隔てる毎に設けられ、計４個の香り放出孔１４を有しているが、４個に限定されるものではなく、その数は任意に調整できる。
また、側面には、箱体を吊るすための吊り手１７があり、吊り紐１８が取り付けられている。ただし、本発明の香り放出機能付き箱体１０は、八角形状に限定されず、四角形以上の多角形にすることができ、また円形であっても構わない。
【００１３】
図２は、香り放出機能付き箱体の断面図であって、箱体１０の略中心を通る図である。
箱体１０の中には、筒状スポンジ３があり、中心の空間部３ｈの中に、香り袋２が格納されている。香り袋２の中には、香料１が詰められている。香料１については後述する。
筒状スポンジ３の上面には、前記したリーフレット１６があり、下面には、スポンジ台紙１９が敷かれている。スポンジ台紙１９は香り袋２が抜け出ないようにすることを目的とする台紙である。この状態で開口１５からリーフレット１６を介して、筒状スポンジ３を押圧することに伴い、香り袋２内の香料１の香りが、香り放出孔１４から放出するというものである。
【００１４】
筒状スポンジ３は、押圧により香気を含んだ空気を香り放出孔１４から放出する。押圧後はその弾性作用により、速やかに押圧前の状態に戻るものである。
なお、筒状スポンジに限定されず、香り袋２を内包できる空間を有する球形乃至扁平な楕円状乃至円板状のスポンジ体であっても良い。
スポンジとはスポンジゴムのことで、一般に連続した開気孔を有する多孔性の加硫ゴムをいう。スポンジ材は、発泡材料でも良いが、いずれも無味無臭のものを使用する。
【００１５】
図３は、香り放出機能付き箱体用のブランク板を示す図であって、（Ａ）は、箱体本体、（Ｂ）は、リーフレット、（Ｃ）は、スポンジ台紙用材料を示す。
箱体本体用ブランク板は、図３（Ａ）のように、上面板１１と底面板１３が側面板１２ａで繋がった構造であり、上面板１１の周囲には、側面板１２ａ，１２ｂ，１２ｃ，１２ｄが接続し、上面板１１には開口１５が形成されている。底面板１３には、側面板１２ｅ，１２ｆ，１２ｇ，１２ｈが接続しており、各々香り放出孔１４ｅ，１４ｆ，１４ｇ，１４ｈを有している。また、前記吊り手１７が底面板１３に接続している。
なお、符号ｎを付した部分は糊代である。また、図３中、実線部は打ち抜き線、鎖線部は折り線形成部である。
【００１６】
図３（Ｂ）は、リーフレット用材料であり、八角形の３枚の板紙１６ａ，１６ｂ，１６ｃをじゃばら折りして、１枚のリーフレット１６として使用する。
図３（Ｃ）は、スポンジ台紙１９用の材料であり、１枚の板紙からなっている。
上記した例は、八角形の箱体を形成するためのものであるが、八角形以外の形状であっても良いのは前記のとおりである。
なお、箱体本体の材料は、板紙に限定されず、厚手の上質紙やコート紙、不織布やプラスチック板を使用することもできる。
【００１７】
次に、香り袋について説明する。
香り袋２は、香料を入れた布製の袋である。香料としては、各種の香料が用いられる。例えば、固形状の香料や粉末状の香料が使用される。香料は特定の状態に限定されず、固形剤や粉末、あるいは粉末に液状エッセンスをまぶしたものであっても良い。香草の乾燥粉末や香りエッセンス、香水を賦香した粉末であっても良い。各種市販されているものが使用される。
香り袋２の布材は、絹や木綿、ポリエステル、ナイロン等の無臭の材料が使用される。
特に好ましくは、光沢と透明感のあるオーガンジー生地（ポリエステル）が採用される。
【００１８】
図４は、箱体に入る香り袋等の構成を示す図である。
箱体１０に入る中身は、香料１入り香り袋２を詰め込みした構成からなり、筒状スポンジ３の空間部３ｈに入れられる。
この筒状スポンジ３の上にリーフレット１６を乗せ、下面にスポンジ台紙１９をあてがって箱体１０の中に組み込みする。
香り袋２の袋自体には、オーガンジー生地等を使用する。この袋の中に、通常、丸いビーズ状の香玉（直径３ｍｍ程度）を入れ、封をするリボンで閉じられる。ただし、ビーズ状の香玉に限らず、各種の香り材料を使用することができる。
【００１９】
図５は、箱体の組み立て工程を示す図である。
箱体１０は、図３（Ａ）の箱体本体のブランク板を打ち抜き、かつ折り曲げして、上面板１１を側面板１２ａ，１２ｂ，１２ｃ，１２ｄ，１２ｅ，１２ｆ，１２ｇ，１２ｈで支持するようにする。
図５（Ｂ）のように、側面板１２ｃと１２ｇ、１２ｆを接着（糊付け）する前に、図４の筒状スポンジ（スポンジ体）３の上にリーフレット１６を載せ、下面にスポンジ台紙１９をあてがった一式を、上面板１１と底面板１３の間に挿入し格納する。その後、側面板１２ｃと１２ｆ、１２ｇを接着（糊付け）すれば、香り放出機能付き箱体１０が完成する。
【００２０】
香り放出機能付き箱体１０は、そのままの状態（箱体だけ）で、試供用に利用できるが、通常は透明ケースに納めて展示する。
図６は、香り放出機能付き箱体の展示方法を示す図である。
図６（Ａ）のように、背面ボード２５の下半を透明ケース３０に入る大きさに折り曲げる。
続いて、図６（Ｂ）のように、背面ボード２５を透明ケース３０に納める。この際、背面ボード２５の紐穴２５ｈと透明ケース３０の紐穴３０ｈとの位置を合わせ、吊り紐１８の一端が双方の紐穴を通るように結び付ける。なお、背面ボード２５とは、香り見本の効能や用法等、利用者に訴える内容を表示する紙面である。
次に、図６（Ｃ）のように、吊り紐１８の他端を香り放出機能付き箱体１０に結び付ける。図６（Ｄ）は最終の展示状態である。
【００２１】
図７は、透明ケースのブランク板を示す図である。
透明ケース３０は、ポリエチレンテレフタレート（ＰＥＴ）等の材料を打ち抜き、折り曲げして、組み立てて使用する。
前面板３１と背面板３２を側面板３３，３４でつなぎ、底面板３６，３７，３８，３９で底面を構成する。背面ボード２５を折り曲げして挿入した場合に、上面板３５で蓋をすることができるようにされている。ＰＥＴ材の場合、折り曲げして組み立てすれば良く、接着の必要はない。なお、図７中、実線部は打ち抜き線、鎖線部は折り線形成部である。
【実施例】
【００２２】
箱体１０本体およびリーフレット１６、スポンジ台紙１９用の材料として、２６．５ｋｇ／４６判の板紙を使用して、図３図示のブランク板を製作した。
箱体１０本体は、図３（Ａ）図示の形状に打ち抜きし、かつ折り線を形成した。ブランク板の全幅Ｗ１は、１７８．３ｍｍ、全高さＨ１は、１２１．０ｍｍとなった。
リーフレット１６は、図３（Ｂ）のように、３枚の板紙をじゃばら折りするようにし、中央の板紙１６ｂの幅が５２ｍｍ、１６ａと１６ｃは、幅が５１ｍｍとなるようにした。従って、全長Ｗ２は、１５４ｍｍ，高さＨ２は、５２ｍｍとなった。
スポンジ台紙１９は、幅、高さともに５２ｍｍのものとした。
【００２３】
筒状スポンジ３として、スポンジ台紙１９と同形同サイズで、厚み２０ｍｍのものの中心に直径２２ｍｍの円筒状の穴である空間部３ｈを形成したものを使用した。
香り袋２には、ポリエステル製オーガンジー生地を使用した。この袋の中に、ビーズ玉（直径約３ｍｍ）状の香料１を入れ、香り袋２の口部を口紐リボンで閉じた。
【００２４】
箱体本体のブランク板を、図５（Ａ）のように折り畳みし、さらに側面板の一部を糊付した後、側面板１２の未接着部から、香り袋２を空間部３ｈに入れた筒状スポンジ３の上面にリーフレット１６を載せ、下面にスポンジ台紙１９をあてがって一体にした状態で、箱体１０内に挿入した（図５（Ｂ）参照）。その後、全側面を無臭糊で糊付して香り放出機能付き箱体１０が完成した。
【００２５】
透明ケース３０には、厚み０．５ｍｍのＰＥＴシートを使用し、図７図示のブランク板を打ち抜きし、かつ折り線を形成した。全幅Ｗ３は、１８８ｍｍ、高さＨ３は９１．３ｍｍ、前面板３１と前面板３１の幅Ｗ４は６３ｍｍ、側面板３３，３４の幅Ｗ５は、２５．５ｍｍとした。
背面ボード２５は、２５．５ｋｇ／４６判の板紙を使用し、幅６１ｍｍ、長さ１０５ｍｍとし、下半部分を図６（Ａ）のように折り曲げして、透明ケース３０に入るようにした。
吊り紐１８は、透明ケース３０の紐穴３０ｈと背面ボード２５の紐穴２５ｈを、図６（Ｃ）のように、一体になるようにして結びつけた。
【００２６】
このような香り放出機能付き箱体１０は、背面ボード２５と共に透明ケース３０に納めて展示し、利用者の利用に効果的に供することができた。
【符号の説明】
【００２７】
１  ；香料
２  ；香り袋
３  ；筒状スポンジ
３ｈ；空間部
１０：箱体
１１：上面板
１２，１２ａ，１２ｂ，１２ｃ，１２ｄ，１２ｅ，１２ｆ，１２ｇ，１２ｈ：側面板
１３：底面板
１４，１４ｅ，１４ｆ，１４ｇ，１４ｈ：香り放出孔
１５：開口
１６：リーフレット
１７：吊り手
１８：吊り紐
１９：スポンジ台紙
２５；背面ボード
３０；透明ケース
【図１】
2018052564.tif 000003
【図２】
2018052564.tif 000004
【図３】
2018052564.tif 000005
【図４】
2018052564.tif 000006
【図５】
2018052564.tif 000007
【図６】
2018052564.tif 000008
【図７】
2018052564.tif 000009